(57)【特許請求の範囲】
【請求項１】
金属層と、
前記金属層上に積層されている誘電層と、
前記誘電層上の同一平面に積層されている二つ以上の金属板と、
相隣り合う前記金属板を連結するステッチングビアを含み、
前記ステッチングビアは、
前記誘電層を貫通し、一端が相隣り合う二つの金属板のうち何れか一つに連結される第１ビアと、
前記誘電層を貫通し、一端が前記相隣り合う二つの金属板のうち他の一つに連結される第２ビアと、
前記金属層と同一平面上に位置し、一端が前記第１ビアの他端に連結され、他端が前記第２ビアの他端に連結される連結パターンと、
を含むことを特徴とする電磁気バンドギャップ構造物。
【請求項２】
前記金属層には、クリアランスホールが備えられており、
前記連結パターンが、前記クリアランスホール内に受容されることを特徴とする請求項１に記載の電磁気バンドギャップ構造物。
【請求項３】
前記連結パターンの一端及び他端のうち少なくとも一つにはビアランドが形成されていることを特徴とする請求項１または２に記載の電磁気バンドギャップ構造物。
【請求項４】
前記金属板が、多角形、円形、または楕円形の形状を有することを特徴とする請求項１、２または３の何れか１項に記載の電磁気バンドギャップ構造物。
【請求項５】
前記金属板は、前記金属板のサイズが同一であることを特徴とする請求項１、２、３または４の何れか１項に記載の電磁気バンドギャップ構造物。
【請求項６】
前記金属板は、前記金属板のサイズが互いに異なる複数のグループで区分されることを特徴とする請求項１、２、３または４の何れか１項に記載の電磁気バンドギャップ構造物。
【請求項７】
アナログ回路及びデジタル回路を含む印刷回路基板であって、
金属層、誘電層、及び二つ以上の金属板が積層されて、相隣り合う前記金属板を連結するステッチングビアを含む電磁気バンドギャップ構造物が前記アナログ回路と前記デジタル回路との間に配置され、
前記ステッチングビアは、
前記誘電層を貫通し、一端が相隣り合う二つの金属板のうち何れか一つに連結される第１ビアと、
前記誘電層を貫通し、一端が前記相隣り合う二つの金属板のうち他の一つに連結される第２ビアと、
前記金属層と同一平面上に位置し、一端が前記第１ビアの他端に連結され、他端が前記第２ビアの他端に連結される連結パターンと、
を含むことを特徴とする印刷回路基板。
【請求項８】
前記金属層は、接地層または電源層のうち何れか一つであり、前記金属板は他の一つの層と同一平面上で連結されることを特徴とする請求項７に記載の印刷回路基板。
【請求項９】
前記金属板は、前記他の一つの層と前記ステッチングビアを通して連結されることを特徴とする請求項７または８に記載の印刷回路基板。
【請求項１０】
前記金属層には、クリアランスホールが備えられており、
前記連結パターンが、前記クリアランスホール内に受容されることを特徴とする請求項７、８または９の何れか１項に記載の印刷回路基板。
【請求項１１】
前記連結パターンの一端及び他端のうち少なくとも一つにはビアランドが形成されていることを特徴とする請求項７、８、９または１０の何れか１項に記載の印刷回路基板。
【請求項１２】
前記金属板が、多角形、円形、または楕円形の形状を有することを特徴とする請求項７、８、９、１０または１１の何れか１項に記載の印刷回路基板。
【請求項１３】
前記金属板は、前記金属板のサイズが同一であることを特徴とする請求項７、８、９、１０、１１または１２の何れか１項に記載の印刷回路基板。
【請求項１４】
前記金属板は、前記金属板のサイズが互いに異なる複数のグループで区分されることを特徴とする請求項７、８、９、１０、１１または１２の何れか１項に記載の印刷回路基板。
【請求項１５】
信号層及び接地層を含む印刷回路基板であって、
金属層、誘電層、及び二つ以上の金属板が積層されて、相隣り合う前記金属板を連結するステッチングビアを含む電磁気バンドギャップ構造物が配置されており、
前記ステッチングビアは前記誘電層を貫通し、前記ステッチングビアの一部分は前記接地層と同一平面上に位置し、
前記金属層は前記接地層であり、前記信号層は前記金属板と同一平面上で連結され、
前記ステッチングビアは、
前記誘電層を貫通し、一端が相隣り合う二つの金属板のうち何れか一つに連結される第１ビアと、
前記誘電層を貫通し、一端が前記相隣り合う二つの金属板のうち他の一つに連結される第２ビアと、
前記金属層と同一平面上に位置し、一端が前記第１ビアの他端に連結され、他端が前記第２ビアの他端に連結される連結パターンと、
を含むことを特徴とする印刷回路基板。
【請求項１６】
前記金属板は、前記信号層と前記ステッチングビアを通して連結されることを特徴とする請求項１５に記載の印刷回路基板。
【請求項１７】
前記金属層には、クリアランスホールが備えられており、
前記連結パターンが、前記クリアランスホール内に受容されることを特徴とする請求項１５または１６に記載の印刷回路基板。
【請求項１８】
前記連結パターンの一端及び他端のうち少なくとも一つにはビアランドが形成されていることを特徴とする請求項１５、１６または１７の何れか１項に記載の印刷回路基板。
【請求項１９】
前記金属板は、多角形、円形、または楕円形の形状を有することを特徴とする請求項１５、１６、１７または１８の何れか１項に記載の印刷回路基板。
【請求項２０】
前記金属板は、信号伝達経路に沿って１列または２列で配列されていることを特徴とする請求項１５、１６、１７、１８または１９の何れか１項に記載の印刷回路基板。
【請求項２１】
前記金属板は、前記金属板のサイズが同一であることを特徴とする請求項１５、１６、１７、１８、１９または２０の何れか１項に記載の印刷回路基板。
【請求項２２】
前記金属板は、前記金属板のサイズが互いに異なる複数のグループで区分されることを特徴とする請求項１５、１６、１７、１８、１９または２０の何れか１項に記載の印刷回路基板。
【発明の詳細な説明】
【技術分野】
【０００１】
本発明は、印刷回路基板に関するもので、より詳細には、所定の周波数帯域の信号伝達を遮断する電磁気バンドギャップ構造物及びこれを含む印刷回路基板に関する。
【背景技術】
【０００２】
移動性が重要視される最近の傾向に伴い、無線通信が可能な移動通信端末、携帯情報端末（Personal Digital Assistants：ＰＤＡ）、ノートパソコン、デジタルマルチメディア放送（Digital Multimedia Broadcasting：ＤＭＢ）機器など、多様な機器が市販されている。
【０００３】
このような機器は、無線通信のためにアナログ回路、例えば、ＲＦ回路とデジタル回路が複合的に構成されている印刷回路基板（printed circuit board）を含んでいる。
【０００４】
図１は、アナログ回路とデジタル回路とを含む印刷回路基板の断面図である。４層構造を有する印刷回路基板１００が示されているが、その他の２層、６層など、多様な構造の印刷回路基板も適用可能である。ここで、アナログ回路は、ＲＦ回路であると仮定する。
【０００５】
印刷回路基板１００は、金属層（metal layer）（１１０-１、１１０-２、１１０-３、１１０-４、以下、１１０と称する）と、金属層１１０の間に積層された誘電層（dielectric layer）１２０（１２０-１、１２０-２、１２０-３）と、最上位の金属層１１０-１上に装着されたデジタル回路１３０と、ＲＦ回路１４０とを含む。
【０００６】
金属層１１０-２を接地層、金属層１１０-３を電源層であると仮定すれば、接地層１１０-２と電源層１１０-３との間に連結されたビア１６０を通して電流が流れ、印刷回路基板１００は予め定められた動作または機能を行う。
【０００７】
ここで、デジタル回路１３０の動作周波数とハーモニックス（harmonics）成分による電磁波（EM wave）１５０がＲＦ回路１４０に伝達されて混合信号（mixed signal）の問題を発生させる。混合信号の問題は、デジタル回路１３０での電磁波が、ＲＦ回路１４０が動作する周波数帯域内の周波数を有することによって、ＲＦ回路１４０の正確な動作を妨害することを意味する。例えば、ＲＦ回路１４０が所定の周波数帯域の信号を受信するに当たって、該当周波数帯域内の信号を含む電磁波１５０がデジタル回路１３０から伝達されることにより、該当周波数帯域内で正確な信号の受信が難しくなり得る。
【０００８】
このような混合信号の問題は、電子機器が複雑になり、デジタル回路１３０の動作周波数が増加するにつれて解決し難くなっている。
【０００９】
電源ノイズ（power noise）の典型的な解決策であるデカップリングキャパシタ（decoupling capacitor)による方法も、高周波数においては適切な解決策となっておらず、ＲＦ回路とデジタル回路との間に高周波数のノイズを遮断または低減させる必要がある。
【発明の開示】
【発明が解決しようとする課題】
【００１０】
こうした従来技術の問題点に鑑み、本発明は、小さいサイズを有しながらも低いバンドギャップ周波数を有するため、特定周波数のノイズを低減させる電磁気バンドギャップ構造物及びこれを含む印刷回路基板を提供することにその目的がある。
【００１１】
また、本発明は、小さいサイズを有しながらも高いインピーダンス、高いインダクタンスなどを確保して、ＳｉＰ（System in Package）のように狭い領域に多くの能動素子と受動素子を適用しなければならない場合にも設計を容易にする電磁気バンドギャップ構造物及びこれを含む印刷回路基板を提供することにその目的がある。
【００１２】
また、本発明は、ＲＦ回路とデジタル回路が同一基板内に設けられている電子機器（例えば、移動通信端末など）における混合信号の問題を解決できる電磁気バンドギャップ構造物及びこれを含む印刷回路基板を提供することにその目的がある。
【００１３】
本発明のその他の目的は下記の説明を通して容易に理解できよう。
【課題を解決するための手段】
【００１４】
本発明の一実施形態によれば、所定の周波数帯域の信号伝達を防止する電磁気バンドギャップ構造物が提供される。
【００１５】
電磁気バンドギャップ構造物は、金属層と、前記金属層上に積層されている誘電層と、前記誘電層上の同一平面に積層されている二つ以上の金属板と、相隣り合う前記金属板を連結するステッチングビアを含んでおり、前記ステッチングビアは前記誘電層を貫通し、前記ステッチングビアの一部分は前記金属層と同一平面上に位置する。
【００１６】
前記ステッチングビアは、一端が相隣り合う二つの金属板のうち一つに連結される第１ビアと、一端が前記相隣り合う二つの金属板のうち他の一つに連結される第２ビアと、前記金属層と同一平面上に位置し、一端が前記第１ビアの他端に連結され、他端が前記第２ビアの他端に連結される連結パターンを含むことができる。
【００１７】
ここで、前記金属層は、クリアランスホールが備えられており、前記連結パターンは、前記クリアランスホール内に受容されることができる。また、前記連結パターンの一端及び他端のうち少なくとも一つにはビアランドが形成されてもよい。また、前記金属板は、多角形形状、円形、または楕円形の形状を有することができる。また、前記金属板のサイズは、同一であることができ、または、前記金属板のサイズが互いに異なる複数のグループで区分されることもできる。
【００１８】
本発明の他の実施形態によれば、アナログ回路とデジタル回路を含んでおり、デジタル回路からアナログ回路への所定の周波数帯域の信号伝達を防止する印刷回路基板が提供されている。
【００１９】
印刷回路基板には、金属層、誘電層、及び二つ以上の金属板が積層されて、相隣り合う前記金属板を連結するステッチングビアを含む電磁気バンドギャップ構造物が前記アナログ回路と前記デジタル回路との間に配置されており、前記ステッチングビアは前記誘電層を貫通し、前記ステッチングビアの一部分は前記金属層と同一平面上に位置することができる。
【００２０】
ここで、前記金属層は、接地層または電源層のうちの一つであり、前記金属板は他の一つの層と同一平面上で連結し得る。また、前記金属板は、前記他の一つの層と前記ステッチングビアを通して連結されることができる。
【００２１】
本発明のまた他の実施形態によれば、信号層と接地層との間に電磁気バンドギャップ構造物を含み、信号層を通した信号伝達の際、所定の周波数帯域のノイズを低減させる印刷回路基板が提供されている。
【００２２】
印刷回路基板には、金属層、誘電層、及び二つ以上の金属板が積層されて、相隣り合う前記金属板を連結するステッチングビアを含む電磁気バンドギャップ構造物が配置されており、前記ステッチングビアは前記誘電層を貫通し、前記ステッチングビアの一部分は前記接地層と同一平面上に位置し、前記金属層は前記接地層であり、前記信号層は前記金属板と同一平面上で連結されることができる。
【００２３】
ここで、前記金属板は、前記信号層と前記ステッチングビアを通して連結されることができる。また、前記金属板は、信号伝達経路に沿って１列または２列で配列されることができる。
【発明の効果】
【００２４】
本発明に係る電磁気バンドギャップ構造物は、小さいサイズを有しながらも低いバンドギャップ周波数を有するため、特定周波数のノイズを低減させる。そして、これにより、高いインピーダンス、高いインダクタンスなどを確保して、ＳｉＰのように狭い領域に多くの能動素子と受動素子を適用しなければならない場合にも設計を容易にする。また、ＲＦ回路とデジタル回路が同一基板内に設けられている電子機器（例えば、移動通信端末など)における混合信号の問題を解決することができる。
【発明を実施するための最良の形態】
【００２５】
本発明は多様な変換を加えることができ、様々な実施例を有することができるため、特定実施例を図面に例示し、詳細に説明する。しかし、これは本発明を特定の実施形態に限定しようとするものではなく、本発明の思想及び技術範囲に含まれるあらゆる変換、均等物及び代替物を含むものとして理解されるべきである。本発明を説明するに当たって、係る公知技術に対する具体的な説明が本発明の要旨をかえって不明にすると判断される場合、その詳細な説明を省略する。
【００２６】
「第１」、「第２」などの用語は、多様な構成要素を説明するのに用いることに過ぎなく、前記構成要素が前記用語により限定されるものではない。前記用語は一つの構成要素を他の構成要素から区別する目的だけに用いられる。
【００２７】
本願で用いた用語は、ただ特定の実施例を説明するために用いたものであって、本発明を限定するものではない。単数の表現は、文の中で明らかに表現しない限り、複数の表現を含む。本願において、「含む」または「有する」などの用語は明細書上に記載された特徴、数字、段階、動作、構成要素、部品、またはこれらを組み合わせたものの存在を指定するものであって、一つまたはその以上の他の特徴や数字、段階、動作、構成要素、部品、またはこれらを組み合わせたものの存在または付加可能性を予め排除するものではないと理解しなければならない。
【００２８】
以下、本発明の実施例を添付した図面を参照して詳しく説明する。図２は本発明の一実施例に係る電磁気バンドギャップ構造物の立体斜視図であり、図３は図２に示した電磁気バンドギャップ構造物の断面図であり、図４は図２に示した電磁気バンドギャップ構造物の配列構造を示した平面図である。図３は図２のＡＡ’線による断面図である。
【００２９】
図２〜図４を参照すると、金属板２１０ａ，２１０ｂ，２１０ｃ、金属層２２０、ステッチングビア（stitching via）２３０、クリアランスホール２２５が示されている。
【００３０】
基本的な電磁気バンドギャップ構造物２００は、２層平面（planar）の構造を有している。第１層は金属層２２０で構成され、第２層は金属板２１０ａ，２１０ｂ，２１０ｃで構成される。第１層と第２層の構成が、前記の構成とは逆になり得ることは明らかである。つまり、第１層が金属板２１０ａ，２１０ｂ，２１０ｃで構成され、第２層が金属層２２０で構成される場合もある。
【００３１】
図２にあって、第２層である金属板２１０ａ，２１０ｂ，２１０ｃは、同一平面上に位置し、所定間隔だけ離隔している。第１層とした金属層２２０と第２層とした金属板２１０ａ，２１０ｂ，２１０ｃとの間には誘電層が積層されている。
【００３２】
金属層２２０と金属板２１０ａ，２１０ｂ，２１０ｃは、電源が供給されて信号が伝達されることができる物質、例えば、銅（Ｃｕ）などで構成される。
【００３３】
ステッチングビア２３０は、相隣り合う二つの金属板、例えば、図２の２１０ｂと２１０ｃとを連結する。ただし、ステッチングビア２３０は、二つの金属板２１０ｂ，２１０ｃと同じ層で、これら二つの金属板２１０ｂ，２１０ｃを連結するのではなく、二つの金属板２１０ｂ，２１０ｃと異なる層（ここでは、金属層２２０）を経由して二つの金属板２１０ｂ，２１０ｃを連結する。
【００３４】
ステッチングビア２３０とは、第１ビア２３２、連結パターン２３４及び第２ビア２３６を含んで構成される構造物のことである。第１ビア２３２の一端は第１金属板２１０ｂに連結され、他端は連結パターン２３４の一端に連結される。第２ビア２３２の一端は第２金属板２１０ｃに連結され、他端は連結パターン２３４の他端に連結される。連結パターン２３４の両端には第１ビア２３２及び/または第２ビア２３６との連結のためのビアランドが形成されることができる。
【００３５】
相隣り合う二つの金属板２１０ｂ，２１０ｃは、ステッチングビア２３０を通して直列連結される。すなわち、第１金属板２１０ｂ→ステッチングビア２３０（第１ビア２３２→連結パターン２３４→第２ビア２３６)→第２金属板２１０ｃの順に電気的に直列連結される。
【００３６】
第１金属板２１０ｂは、相隣り合う他の金属板２１０ａとステッチングビアを通して連結され、第２金属板２１０ｃも相隣り合う他の金属板（図示せず)とステッチングビアを通して連結される。これにより、第２層に位置した金属板はステッチングビアを通して全て直列連結されるという効果がある。
【００３７】
ここで、金属層２２０には、連結パターン２３４を内部に受容するクリアランスホール２２５が形成されている。クリアランスホール２２５は、連結パターン２３４以外に第１ビア２３２及び/または第２ビア２３６との容易な連結のためのビアランドも共に受容することができる。クリアランスホール２２５があるため、ステッチングビア２３０と金属層２２０は電気的に接続しないことになる。
【００３８】
金属板２１０ａ，２１０ｂ，２１０ｃは、ステッチングビア２３０を通して連結されるため、第２層に金属板２１０ａ，２１０ｂ，２１０ｃを連結するためのパターンを形成する必要がなくなる。これにより、金属板２１０ａ，２１０ｂ，２１０ｃのサイズを小さくしながら、金属板２１０ａ，２１０ｂ，２１０ｃの間の間隔を狭めることができて、金属板２１０ａ，２１０ｂ，２１０ｃの間のギャップにおけるキャパシタンスを高めることができる効果がある。
【００３９】
本発明で金属板２１０ａ，２１０ｂ，２１０ｃは、金属層２２０と区別される他の金属層と同一平面上に位置している。したがって、本発明で最左側に位置した金属板２１０ａは、ステッチングビアを通して金属層２２０とは区別される他の金属層に連結される。
【００４０】
金属層２２０が電源層である場合、他の金属層は接地層となり、金属層２２０が接地層である場合、他の金属層は電源層となる。
【００４１】
または金属層２２０が接地層になり、他の金属層は信号層になって、所定方向に信号を伝達し、信号層の信号伝達経路のうちの一部に、上述した金属板２１０ａ，２１０ｂ，２１０ｃ及びステッチングビア２３０を配置して、伝達される信号に含まれた特定周波数のノイズを低減させることができる。
【００４２】
図２〜図４を参照すると、金属板２１０ａ，２１０ｂ，２１０ｃは、一つの列で配列され、各金属板には二つのステッチングビアが連結されている。しかし、他の実施例では、金属板がｍ×ｎ（ここで、ｍ、ｎは自然数）の行列で配列され、相隣り合う金属板がステッチングビアを用いて連結されるようにできる。この場合、各金属板は相隣り合う他の金属板を連結する経路の役割をすることになり、少なくとも二つ以上のステッチングビアに連結されている。以下、金属板の形状、配列などによる多様な実施例を図面を参照して説明する。
【００４３】
図５は、本発明の他の実施例に係る四角形の金属板を含む電磁気バンドギャップ構造物の配列構造を示した平面図であり、図６は本発明のまた他の実施例に係る三角形の金属板を含む電磁気バンドギャップ構造物の配列構造を示した平面図であり、図７は本発明のまた他の実施例に係る電磁気バンドギャップ構造物の帯状の配列構造を示した平面図である。
【００４４】
金属板は四角形（図５参照)の以外にも、三角形（図６参照)、六角形などの多角形の形態を有したり、円形または楕円形などの多様な形態を有したりすることができる。
【００４５】
また、基板全体にステッチングビアで連結される金属板を配列（図５、６参照)したり、基板の一部分にだけステッチングビアで連結される金属板を配列（図７参照)したりすることもできる。
【００４６】
そして、図２に示すように、金属板は、二つのステッチングビアに連結され、相隣り合う二つの他の金属板に連結されたり、図５に示すように、４つのステッチングビアに連結され、相隣り合う４つの金属板全体に連結されたりすることができる。または、図６に示すように、４つのステッチングビアに連結され、相隣り合う３つの金属板全体に連結されることもできる。
【００４７】
この場合、信号源から信号伝達地点までの経路に配置された金属板は、ステッチングビアを用いることにより連結が切れないようにする。すなわち、金属板が２列で配列されて、各金属板に対してステッチングビアが相隣り合うあらゆる金属板を全て連結することができ、またはジグザグ状で金属板を連結することもできる。
【００４８】
図８及び図９は、本発明のまた他の実施例に係る金属板のサイズによる配列構造を示した平面図である。
【００４９】
ステッチングビアで連結される金属板は、前記したように、全て同じサイズを有することができるが、図８及び９に示すように、互いに異なるサイズを有することもできる。すなわち、金属板は、それらのサイズが互いに異なる複数のグループで区分されることもできる。
【００５０】
図８を参照すると、相対的に大きいサイズの大金属板Ｂと、相対的に小さいサイズの小金属板Ｃが交互に配列されており、各金属板はステッチングビアと相隣り合う金属板に連結されている。すなわち、大金属板Ｂと小金属板Ｃは、全て４つのステッチングビアにより相隣り合う金属板に連結されている。
【００５１】
図９を参照すると、相対的に大きいサイズの大金属板Ｄと、相対的に小さいサイズの小金属板Ｅ１，Ｅ２，Ｅ３，Ｅ４がある。小金属板Ｅ１，Ｅ２，Ｅ３，Ｅ４が２×２で配列されて、全体的に大金属板Ｄと類似する面積を占めるようになっている。小金属板Ｅ１，Ｅ２，Ｅ３，Ｅ４は、４つのステッチングビアを通して相隣り合う金属板に連結されている。そして、大金属板Ｄは、相隣り合う小金属板の個数が８つであるため、８つのステッチングビアを通して相隣り合う小金属板に連結されている。
【００５２】
このように、互いに異なるサイズの金属板を組み合わせて配列しても、上述したように特定周波数に該当する信号伝達を遮断することができ、また、ノイズを低減させる効果がある。
【００５３】
図１０は、本発明の一実施例に係るステッチングビアを含む電磁気バンドギャップ構造物における周波数特性を示したグラフである。ステッチングビアを含む電磁気バンドギャップ構造物に対してシミュレーションモデルを形成し、散乱パラメータ（scattering parameter）で分析した結果が示されている。
【００５４】
ノイズレベル−５０ｄＢを基準とする場合、信号の周波数が約２．８〜７．５ＧＨｚに該当する領域で電磁気バンドギャップ構造物を通して伝達される信号を遮断するストップバンド（stop band）が形成されることを確認することができる。
【００５５】
このようなストップバンド周波数帯域は、電磁気バンドギャップ構造物のサイズ、各構成部の厚さ、誘電層の誘電率、配置形態、金属板の形状、サイズ、個数などの多様な条件を適切に調整することにより、意図する周波数帯域を有するように設計できることは明らかである。
【００５６】
本発明の一実施例に係る印刷回路基板はシステムインパッケージ（System in Package：ＳｉＰ)であることができる。
【００５７】
印刷回路基板内には、信号層と接地層が存在する。この時、信号層に沿って伝達される信号が高い動作周波数によりノイズが発生し、この場合、特定周波数を有するノイズを低減させるために、上述した電磁気バンドギャップ構造物を適用する。
【００５８】
金属層が接地層となり、信号層と同一平面上に一定間隔だけ離隔した金属板が配置される。そして、各金属板はステッチングビアを通して連結される。ステッチングビアの第１ビア及び第２ビアは、接地層に形成された連結パターンに連結される。連結パターンは、接地層と接触しないようにクリアランスホール内に受容されている。
【００５９】
金属板は、信号層上で信号伝達経路に沿って１列または２列で配列されている。各金属板は、信号源から信号伝達地点まで途切れることなく信号を伝達することができるように、ステッチングビアで連結される。
【００６０】
本発明の他の実施例に係る印刷回路基板は、アナログ回路とデジタル回路とを含む。アナログ回路は外部から無線信号（ＲＦ信号）を受信するアンテナのようなＲＦ回路であり得る。
【００６１】
印刷回路基板内では、上述した電磁気バンドギャップ構造物がアナログ回路とデジタル回路との間に配置される。
【００６２】
デジタル回路からアナログ回路に伝達される電磁波が、必ず電磁気バンドギャップ構造物を通過するように、電磁気バンドギャップ構造物が配置される。すなわち、アナログ回路の周辺に閉曲線状で電磁気バンドギャップ構造物が配列されたり、デジタル回路の周辺に閉曲線状で電磁気バンドギャップ構造物が配列されたりすることができる。或いは、デジタル回路からアナログ回路への印刷回路基板の内部の全体または一部に電磁気バンドギャップ構造物を配列することもできる。
【００６３】
印刷回路基板を構成する各層中、電源層と接地層との間に電磁気バンドギャップ構造物が配列される。
【００６４】
接地層または電源層のうちの何れか一つの層が金属層になる。そして、他の一つの層と同一平面上に一定間隔だけ離隔した金属板が配置される。そして、各金属板は、ステッチングビアを通して連結される。ステッチングビアの第１ビア及び第２ビアは、金属層に形成された連結パターンに連結される。連結パターンは、金属層と接触しないようにクリアランスホール内に受容されている。
【００６５】
上述した電磁気バンドギャップ構造物が内部に配置されることにより、アナログ回路とデジタル回路とがともに設けられて使用される印刷回路基板は、デジタル回路からアナログ回路に伝達される電磁波のうち、特定周波数領域の電磁波の伝達を防止することができる。
【００６６】
すなわち、小さな構造物のサイズにも拘わらず、アナログ回路からノイズに該当する特定周波数領域の電磁波の伝達を抑制することにより、上述した混合信号の問題を解決することができる。
【００６７】
以上、本発明の実施例を参照して説明したが、該当技術分野で通常の知識を有する者であれば、特許請求範囲に記載された本発明の思想及び領域から逸脱しない範囲内で本発明を多様に修正及び変更させることができることを理解できよう。
【図面の簡単な説明】
【００６８】
【図１】アナログ回路とデジタル回路とを含む印刷回路基板の断面図である。
【図２】本発明の一実施例に係る電磁気バンドギャップ構造物の立体斜視図である。
【図３】図２に示した電磁気バンドギャップ構造物の断面図である。
【図４】図２に示した電磁気バンドギャップ構造物の配列構造を示した平面図である。
【図５】本発明の他の実施例に係る四角形の金属板を含む電磁気バンドギャップ構造物の配列構造を示した平面図である。
【図６】本発明のまた他の実施例に係る三角形の金属板を含む電磁気バンドギャップ構造物の配列構造を示した平面図である。
【図７】本発明のまた他の実施例に係る電磁気バンドギャップ構造物の帯状の配列構造を示した平面図である。
【図８】本発明のまた他の実施例に係る金属板のサイズによる配列構造を示した平面図である。
【図９】本発明のまた他の実施例に係わる金属板のサイズによる配列構造を示した平面図である。
【図１０】本発明の一実施例に係るステッチングビアを含む電磁気バンドギャップ構造物における周波数特性を示したグラフである。
【符号の説明】
【００６９】
２００  電磁気バンドギャップ構造物
２１０ａ，２１０ｂ，２１０ｃ  金属板
２２０  金属層
２２５  クリアランスホール
２３０  ステッチングビア
【図１】
0004659053.tif 000002
【図２】
0004659053.tif 000003
【図３】
0004659053.tif 000004
【図４】
0004659053.tif 000005
【図５】
0004659053.tif 000006
【図６】
0004659053.tif 000007
【図７】
0004659053.tif 000008
【図８】
0004659053.tif 000009
【図９】
0004659053.tif 000010
【図１０】
0004659053.tif 000011